(57)【要約】【課題】  操作の簡便さを損なうことなく、転倒時の可燃性液体の液漏れを防ぐ。【解決手段】  芳香剤含有可燃性液体を収容する容器１の開口部に、バーナ保持部材２が取り付けられている。このバーナ保持部材２に、触媒燃焼バーナ３が着脱可能に配置される。バーナ３には、可燃性液体をバーナ３へ供給する芯材４が取り付けられている。バーナ３は、多孔質セラミクスのバーナ本体部３１と、これを支持する支持部３０とを有している。支持部３０は環状の磁性体３２を有しており、バーナ保持部材２は環状の永久磁石２０を有している。これらの永久磁石２０と磁性体３２とが近接して配置されることにより、バーナ３がバーナ保持部材２に磁力で保持される。【選択図】      図３
2010035983.tif 000002
【特許請求の範囲】
【請求項１】
芳香剤含有可燃性液体を収容するための容器と、
前記容器の開口部に取り付けられたバーナ保持部材と、
前記バーナ保持部材に着脱可能に配置される触媒燃焼バーナと、
前記バーナに取り付けられ、前記可燃性液体を前記バーナへ供給する芯材と、
を備え、
前記バーナ保持部材と前記バーナとの一方が第１の磁石を含み、他方が第２の磁石又は磁性体を含むことにより、前記バーナが前記バーナ保持部材に磁力で保持される芳香器。
【請求項２】
前記第１の磁石は、前記バーナ保持部材と前記バーナとの前記一方の外周に沿った略環状であり、
前記第２の磁石又は前記磁性体は、前記バーナ保持部材と前記バーナとの前記他方の外周に沿った略環状である、請求項１に記載の芳香器。
【請求項３】
前記バーナは、
少なくとも一部領域に触媒を含有し、前記芯材に接触して前記可燃性液体の供給を受けるバーナ本体部と、
前記バーナ本体部を支持する支持部材と、を更に含んでおり、
前記支持部材は、筒状部と、当該筒状部の上端から外方に張り出し、前記バーナ本体部を受けるフランジ部と、を有しており、
前記第１の磁石と前記第２の磁石又は前記磁性体とのうち前記バーナに含まれている一方が環状であって、前記筒状部に嵌め込まれており、かつ外周が外方突出部を有している請求項２に記載の芳香器。
【請求項４】
前記バーナ保持部材は、
前記容器の開口部の外周に嵌め込まれる外側筒状部と、
前記外側筒状部の内側に位置する内側筒状部と、
前記外側筒状部と前記内側筒状部の頂部を連結する環状の部材であって、前記第１の磁石と前記第２の磁石又は前記磁性体とのうち前記バーナに含まれている前記一方を受ける環状部と、を更に含んでおり、
前記第１の磁石と前記第２の磁石又は前記磁性体とのうち前記バーナ保持部材に含まれている他方は環状であって、前記外側筒状部と前記内側筒状部との間に挿入されている請求項３に記載の芳香器。
【請求項５】
前記バーナ保持部材の前記内側環状部の裾部を径方向外方に拡げることにより、前記第１の磁石と前記第２の磁石又は前記磁性体とのうち前記バーナ保持部材に含まれている前記他方を、前記バーナ保持部材に保持している請求項４に記載の芳香器。
【請求項６】
前記第１の磁石と、前記第２の磁石又は前記磁性体とが、互いに直接に接触する請求項１又は２に記載の芳香器。
【請求項７】
前記第１の磁石と、前記第２の磁石又は前記磁性体とが、互いに平行な面で対向する請求項１ないし６のいずれかに記載の芳香器。
【請求項８】
前記芯材がガラス繊維芯材であって、
前記芯材を締め付けることにより前記容器内から前記バーナへの前記可燃性液体の供給を制限する結束部を、さらに備える請求項１ないし７のいずれかに記載の芳香器。
【請求項９】
前記芯材はガラス繊維ロープであり、一端部付近が折り返され、当該折り返し部分と他端部とが前記バーナに取り付けられており、
前記結束部は結束用バンドであり、折り返されることにより３本の束となった部分を締め付ける請求項８に記載の芳香器。
【請求項１０】
前記結束用バンドは、複数個であり、前記芯材の３本の束となった前記部分の複数箇所を結束する請求項９に記載の芳香器。
【請求項１１】
請求項１ないし１０の何れかに記載の芳香器に用いられる前記バーナ保持部材と前記触媒燃焼バーナとを備える芳香器用バーナ保持構造。
【発明の詳細な説明】
【技術分野】
【０００１】
本発明は、触媒燃焼を利用した芳香器及び芳香器用バーナ保持構造に関し、特に、転倒時の可燃性液体の液漏れを防ぐ技術に関する。
【背景技術】
【０００２】
従来、この種の芳香器として、特許文献１に開示されるものが知られている。当該従来技術による芳香器は、芳香剤を含有する可燃性液体をフラスコ内に投入することにより使用に供される。フラスコの開口部にはバーナ保持部材が取り付けられており、当該保持部材には触媒燃焼バーナが着脱可能に保持されている。バーナには芯材が下方に垂れるように取り付けられており、バーナは当該芯材によってフラスコ内の可燃性液体の供給を受けるようになっている。
【特許文献１】特許第３５１６６６５号公報
【発明の開示】
【発明が解決しようとする課題】
【０００３】
従来技術による芳香器では、バーナはバーナ保持部材に着脱可能に配置され、格別な固定手段は設けられていない。このため、使用中に不注意、事故等により芳香器を転倒させることがあれば、バーナがバーナ保持部材から外れて、フラスコ内の可燃性液体が外部に漏れ出る恐れがあった。可燃性液体の漏れを防止するには、例えばねじ止めにより、バーナをバーナ保持部材に固定することも想定される。しかし利用者は、可燃性液体を補給する毎に、バーナをバーナ保持部材から取り外し、補給完了後に元通りに配置するという操作を繰り返す必要がある。このため、ねじ止めでは操作が面倒であるのに加えて、利用者がねじを締め忘れる恐れがある。
【０００４】
本発明は上記の問題点に鑑みてなされたもので、操作の簡便さを損なうことなく、転倒時の可燃性液体の液漏れを防ぐことのできる芳香器、及び芳香器用バーナ保持構造を提供することを目的とする。
【課題を解決するための手段】
【０００５】
上記課題を解決し上記目的を達成するために、本発明のうち第１の態様に係るものは、芳香器であって、芳香剤含有可燃性液体を収容するための容器と、前記容器の開口部に取り付けられたバーナ保持部材と、前記バーナ保持部材に着脱可能に配置される触媒燃焼バーナと、前記バーナに取り付けられ、前記可燃性液体を前記バーナへ供給する芯材と、を備え、前記バーナ保持部材と前記バーナとの一方が第１の磁石を含み、他方が第２の磁石又は磁性体を含むことにより、前記バーナが前記バーナ保持部材に磁力で保持されるものである。
【０００６】
この構成によれば、芳香剤含有可燃性液体を容器内に供給することにより、当該可燃性液体が芯材により触媒燃焼バーナへ供給される。当該バーナには、外部から一旦火を近付けるなどして、バーナから蒸発する可燃性液体の蒸気に着火し、バーナの温度を高めると、それ以後はバーナの触媒作用により可燃性液体が燃焼し、その結果、含有される芳香剤が分散される。このように本構成のものは、触媒燃焼を利用した芳香器として機能する。燃焼を中途で停止するには、例えば、別に用意した消火キャップでバーナを覆うようにすると良い。容器に取り付けられたバーナ保持部材に対して、バーナが着脱可能であるので、バーナを脱着することにより容器内に可燃性液体を供給することができる。バーナはバーナ保持部材に磁力で保持されるので、バーナの脱着及び装着が容易であり、しかも不十分な装着のままで使用する恐れがなく安全である。さらにバーナが磁力によりバーナ保持部材に保持されるので、使用中に不注意、事故等により芳香器を転倒させることがあっても、バーナがバーナ保持部材から直ちに外れて、容器内の可燃性液体が外部に漏れる、という不具合を防止することができる。このように本構成によれば、操作性が良く、かつ安全性に優れる芳香器が実現する。
【０００７】
本発明のうち第２の態様に係るものは、第１の態様に係る芳香器であって、前記第１の磁石は、前記バーナ保持部材と前記バーナとの前記一方の外周に沿った略環状であり、前記第２の磁石又は前記磁性体は、前記バーナ保持部材と前記バーナとの前記他方の外周に沿った略環状であるものである。
【０００８】
この構成によれば、第１の磁石と、第２の磁石又は磁性体とが、外周に沿った略環状であるため、これらが幅広い領域に確保される。その結果、それらが互いに強い力で引き合うので、強い力でバーナをバーナ保持部材に保持することができる。
【０００９】
本発明のうち第３の態様に係るものは、第２の態様に係る芳香器であって、前記バーナは、少なくとも一部領域に触媒を含有し、前記芯材に接触して前記可燃性液体の供給を受けるバーナ本体部と、前記バーナ本体部を支持する支持部材と、を更に含んでおり、前記支持部材は、筒状部と、当該筒状部の上端から外方に張り出し、前記バーナ本体部を受けるフランジ部と、を有しており、前記第１の磁石と前記第２の磁石又は前記磁性体とのうち前記バーナに含まれている一方が環状であって、前記筒状部に嵌め込まれており、かつ外周が外方突出部を有しているものである。
【００１０】
この構成によれば、バーナ本体部を支持する支持部材が、フランジ部を有することにより、バーナ本体部を安定的に支持することができる。さらに、支持部材が筒状部を有し、第１の磁石と第２の磁石又は磁性体とのうちバーナに含まれている一方が環状であって、筒状部に嵌め込まれているので、これらの磁石又は磁性体を、バーナに容易に取り付けることが可能である。また、第１の磁石と第２の磁石又は磁性体とのうちバーナに含まれている一方の外周が外方突出部を有しているので、外方突出部を手で摘むことにより、バーナを持ち上げることができる。特に、燃焼を停止して間もない時期に、熱を持っているフランジ部に触れることなく、バーナを持ち上げることが可能となる。すなわち、バーナをバーナ保持部材から外したり、装着したりする操作が容易かつ安全となる。
【００１１】
本発明のうち第４の態様に係るものは、第３の態様に係る芳香器であって、前記バーナ保持部材が、前記容器の開口部の外周に嵌め込まれる外側筒状部と、前記外側筒状部の内側に位置する内側筒状部と、前記外側筒状部と前記内側筒状部の頂部を連結する環状の部材であって、前記第１の磁石と前記第２の磁石又は前記磁性体とのうち前記バーナに含まれている前記一方を受ける環状部と、を更に含んでおり、前記第１の磁石と前記第２の磁石又は前記磁性体とのうち前記バーナ保持部材に含まれている他方は環状であって、前記外側筒状部と前記内側筒状部との間に挿入されているものである。
【００１２】
この構成によれば、バーナ保持部材が内外二重の筒状部とそれらの頂部を連結する環状部とを含んでおり、これら二重の筒状部の間に環状の、第１の磁石と第２の磁石又は磁性体とのうちバーナ保持部材に含まれる他方が挿入される。このため、これらの磁石又は磁性体が外部から見えないので、美観を損なう恐れがない。また、外側筒状部を容器開口部の外周に嵌め込むことにより、液もれのない形態で容器開口部へバーナ保持部材を容易に取り付けることができる。
【００１３】
本発明のうち第５の態様に係るものは、第４の態様に係る芳香器であって、前記バーナ保持部材の前記内側環状部の裾部を径方向外方に拡げることにより、前記第１の磁石と前記第２の磁石又は前記磁性体とのうち前記バーナ保持部材に含まれている前記他方を、前記バーナ保持部材に保持しているものである。
【００１４】
この構成によれば、バーナ保持部材の内側環状部の裾部を径方向外方に拡げることにより、第１の磁石と前記第２の磁石又は前記磁性体とのうち前記バーナ保持部材に含まれている前記他方が、バーナ保持部材に保持されるので、これらの磁石又は磁性体を、バーナ保持部材に容易に保持することが可能となる。
【００１５】
本発明のうち第６の態様に係るものは、第１又は第２の態様に係る芳香器であって、前記第１の磁石と、前記第２の磁石又は前記磁性体とが、互いに直接に接触するものである。
【００１６】
この構成によれば、第１の磁石と、前記第２の磁石又は前記磁性体とが、互いに直接に接触するので、それらが互いに強い力で引き合う。その結果、強い力でバーナをバーナ保持部材に保持することができる。
【００１７】
本発明のうち第７の態様に係るものは、第１ないし第６のいずれかの態様に係る芳香器であって、前記第１の磁石と、前記第２の磁石又は前記磁性体とが、互いに平行な面で対向するものである。
【００１８】
この構成によれば、第１の磁石と、第２の磁石又は磁性体とが、互いに平行な面で対向するので、それらが互いに強い力で引き合う。その結果、強い力でバーナをバーナ保持部材に保持することができる。
【００１９】
本発明のうち第８の態様に係るものは、第１ないし第７のいずれかの態様に係る芳香器であって、前記芯材がガラス繊維芯材であって、前記芯材を締め付けることにより前記容器内から前記バーナへの前記可燃性液体の供給を制限する結束部を、さらに備えるものである。
【００２０】
この構成によれば、芯材がガラス繊維芯材であるので、例えばイソプロピルアルコール、エチルアルコールなどの可燃性液体に対して、強力な毛管作用を発揮する。当該芯材を締め付けることにより容器内からバーナへの可燃性液体の供給を制限する結束部を設けることにより、容器内の可燃性液体の液面の高さに依存することなく、芯材の当該結束部の部分まで可燃性液体を充満させることができる。すなわち、可燃性液体の実質的な液面を結束部の部位に維持することができる。それにより、容器内の可燃性液体の残量によらずに、バーナへ安定した量の可燃性液体を供給することができ、可燃性液体を定速度で燃焼させることが可能となる。さらに、容器内の可燃性液体を残量がなくなるまで、高い温度で燃焼させ続けることが可能となるので、バーナ内に脂が形成され難い。このためバーナの長寿命化が実現する。また、燃焼速度が可燃性液体の残量によらないので、比較的大量の可燃性液体を容器内に貯留して使用することも可能である。本構成によれば、使用中の不注意、事故等により芳香器を転倒させることがあっても、バーナがバーナ保持部材から直ちに外れて、容器内の可燃性液体が外部に漏れる、という不具合を防止することができるので、比較的大量の可燃性液体を容器内に貯留して使用する場合の安全性向上の意義が殊に大きい。
【００２１】
本発明のうち第９の態様に係るものは、第８の態様に係る芳香器であって、前記芯材がガラス繊維ロープであり、一端部付近が折り返され、当該折り返し部分と他端部とが前記バーナに取り付けられており、前記結束部は結束用バンドであり、折り返されることにより３本の束となった部分を締め付けるものである。
【００２２】
この構成によれば、芯材がガラス繊維ロープであるため、低廉な汎用のガラス繊維ロープを使用することができる。また、結束部として結束用バンドであるので、低廉な結束用バンドを使用することができる。さらに芯材の一端部が折り返され、折り返されて３本の束となった部分が結束部により締め付けられるので、結束用バンドを用いて、芯材を均一に締め付けることができ、かつ芯材に付与される圧力を加減し易い。それにより容器内からバーナへの可燃性液体の供給を、適正に制限することが容易となる。また、芯材が全体としてループをなすので、バーナをバーナ保持部材に配置する際に、芯材を容器の開口部に通し易い。すなわち、バーナの着脱操作を容易に行うことができる。
【００２３】
本発明のうち第１０の態様に係るものは、第９の態様に係る芳香器であって、前記結束用バンドは、複数個であり、前記芯材の３本の束となった前記部分の複数箇所を結束するものである。
【００２４】
この構成によれば、結束用バンドは、複数個であって、芯材の３本の束となった部分の複数箇所を結束するので、過大な力を要することなく個別に結束用バンドを締め付けることができ、それにより容器内からバーナへの可燃性液体の供給を、適正に制限することができる。
【００２５】
本発明のうち第１１の態様に係るものは、芳香器用バーナ保持構造であって、第１ないし第１０の何れかの態様に係る芳香器に用いられる前記バーナ保持部材と前記触媒燃焼バーナとを備えるものである。
【００２６】
この構成によれば、本発明の芳香器に用いられるバーナ保持部材と触媒燃焼バーナとを備えるので、当該バーナ保持部材を容器に取り付け、バーナに芯材を取り付けることにより、本発明の芳香器ができ上がる。
【発明の効果】
【００２７】
以上のように本発明によれば、操作の簡便さを損なうことなく、転倒時の可燃性液体の液漏れを防ぐことのできる芳香器、及び芳香器用バーナ保持構造が実現する。
【発明を実施するための最良の形態】
【００２８】
（実施の形態１）
図１は、本発明の実施の形態１による芳香器の外観を示す斜視図である。この芳香器１０１は、主要な部材として、容器１、バーナ保持部材２、触媒燃焼バーナ３、及び芯材４を有している。容器１は、芳香剤を含有する可燃性液体１１を収容するためのものであり、例えば図１に示すようにガラス製のフラスコ状である。可燃性液体１１は、例えばアルコール類であり、イソプロピルアルコール、エチルアルコールが好適である。また芳香剤は、例えばテルペン類である。
【００２９】
バーナ保持部材２は、触媒燃焼バーナ３を保持するための金具であり、容器１の上端開口部に嵌め込まれて固定されている。バーナ３は、バーナ保持部材２に着脱可能に配置されている。バーナ３は、多孔質のセラミクスを主材料とし、表面に白金触媒を含む塗料が塗布されたバーナ本体部３１、当該バーナ本体部３１を支持する金属製の支持部材３０、及び当該支持部材３０に嵌め込まれた環状の磁性体３２を有している。バーナ保持部材２の頂部の内側には、環状の永久磁石（図示略）が取り付けられている。従って、磁性体３２と永久磁石との磁気的吸引力により、バーナ３がバーナ保持部材２に保持される。バーナ３及びバーナ保持部材２は、芳香器用のバーナ保持構造を構成する。
【００３０】
図２は、バーナ３を持ち上げたときの図１の芳香器１０１の外観を示す斜視図である。図２に示すように、バーナ３は持ち上げることにより、バーナ保持部材２から取り外すことができる。これにより、芳香剤を含有する可燃性液体１１を容器１内に供給することが可能となる。バーナ３には、可燃性液体１１を毛管現象によりバーナ３へ供給する芯材４が取り付けられている。芯材４は、例えば木綿、ガラス繊維などの繊維をロープ状に撚ったものである。芯材４の頭部は、バーナ本体部３１に接触するようになっており（図示略）、それによりバーナ本体部３１に芳香剤を含有する可燃性液体１１が供給される。
【００３１】
図１に戻って、芳香器１０１を使用するには、消火キャップ５を外して、バーナ本体部３１にマッチの炎を近付けるなどして、バーナ本体部３１から蒸発する可燃性液体１１の蒸気に着火させる。それによりバーナ本体部３１の温度を高めると、それ以後はバーナ本体部３１の触媒作用により可燃性液体１１が燃焼し、その結果、含有される芳香剤が周囲に分散される。可燃性液体１１を容器１内に残したまま、燃焼を停止するには、消火キャップ５でバーナ３を覆うようにすると良い。
【００３２】
図３は、バーナ３及びバーナ保持部材２の構造を詳細に示す芳香器１０１の部分断面図である。バーナ本体部３１は、主要部をなす多孔質のセラミクス部材３１２と、その表面に塗布された白金触媒を含む塗料３１１とを有している。セラミクス部材３１２は、例えば８頂点を有する星形柱状の頭部と、頭部の底面中央から下方に突出する筒状部とを有している。筒状部内の空洞は頭部の中ほどにまで達しており、全体で有底の孔を形成している。この孔に芯材４が挿入されている。塗料３１１は、セラミクス部材３１２の頭部のうち、底部付近を除いた表面全体に塗布されている。
【００３３】
バーナ本体部３１を支持する支持部材３０は、筒状部３５と、当該筒状部３５の上端から外方斜め方向に張り出し、バーナ本体部３１の頭部を受けるフランジ部３４と、を有している。かかる形状をなす支持部材３０は、例えばアルミニウム板金をプレス加工することにより形成される。バーナ本体部３１の筒状部は、支持部材３０の筒状部３５に挿入され、芯材４は筒状部３５を貫通する。環状の磁性体３２は、筒状部３５の上端部に嵌め込まれている。磁性体３２は、例えば低炭素鋼にメッキを施したものである。
【００３４】
バーナ保持部材２は、容器１の開口部の外周に嵌め込まれて密着する外側筒状部２１と、この外周筒状部２１の頂部に連結し内側に折り曲げられて環状の傾斜面をなす環状部２２と、この環状部２２の内側がさらに折り曲げられて円筒状に形成された内側筒状部２３とを有している。かかる形状をなすバーナ保持部材２は、例えばアルミニウム板金をプレス加工することにより形成される。環状部２２が磁性体３２を受けることにより、バーナ３はバーナ保持部材２に支持される。
【００３５】
バーナ保持部材２の外側筒状部２１と内側筒状部２３との間隙に、環状の永久磁石２０が挿入されている。永久磁石２０は、磁性体３２に吸引力を及ぼし、それによりバーナ保持部材２に吸着するようにバーナ３を付勢する。このために、永久磁石２０は、磁性体３２に近い部位に配置される。図３の例では、永久磁石２０は、バーナ保持部材２の間隙の上端部に置かれる。図３の例では、バーナ保持部材２の内側環状部２３の裾部が径方向外方に拡げられており、それによって環状の永久磁石２０がバーナ保持部材２に保持されている。あるいは永久磁石２０は、接着剤でバーナ保持部材２に固定しても良い。永久磁石２０は、例えばフェライト磁石である。
【００３６】
図３の例では、支持部材３０に固定された磁性体３２は、回転軸を含む面で切断した断面が、略菱形の形状を有している。それにより磁性体３２は、傾斜面をなすフランジ部３４、及び傾斜面をなす環状部２２の双方に面接触する。それと同時に磁性体３２の外周は、断面三角状に張り出す外方突出部を有している。
【００３７】
図４は、バーナ３及びバーナ保持部材２の構造を、より明瞭に示す分解組立図である。図４（ａ）に示すように、支持部材３０のフランジ部３４の外周縁部には一対の切れ込みが形成されており（手前側のみ図示）、当該切れ込みに係止される針金３６によって、バーナ本体部３１が支持部材３０に固定されている。支持部材３０の筒状部３５の上端部には、外方に突出する突起が配列されており、当該突起に環状の磁性体３２の内周が嵌め込まれる。磁性体３２の上端縁には、針金３６との干渉を回避するために一対の切れ込みが形成されている。
【００３８】
環状の永久磁石２０は、例えば図４（ｂ）に示すように円筒を回転軸に垂直な平面で輪切りにした形状を有する。この永久磁石２０は、バーナ保持部材２の外側筒状部２１と内側筒状部２３との間隙の上端部に挿入される。
【００３９】
支持部材３０の底面図は、図４（ｃ）のように例示される。図４（ｃ）が示すように、支持部材３０の筒状部３５の底部は、周囲から中心に向かって突出する３本の爪を有しており、当該爪によって芯材４が支持される。
【００４０】
芳香器１０１は、以上のように構成されるので、以下のような従来にない利点を有する。まず、バーナ３がバーナ保持部材２に磁気的吸引力で保持されるので、バーナ３の脱着及び装着が容易である。しかもバーナ３を装着するときに、定められた位置に注意深く装着することを怠っても、磁力の働きにより、定められた位置に納まる。このため格別の注意を払わなくても、バーナ３とバーナ保持部材２との間に無用な隙間が空く恐れがなく安全である。さらにバーナ３が磁気的吸引力によりバーナ保持部材２に保持されるので、使用中に不注意、事故等により芳香器１０１を転倒させることがあっても、バーナ３がバーナ保持部材２から直ちに外れて、容器１内の可燃性液体１１が外部に漏れる、という不具合を防止することができる。芳香器１０１が転倒すると、間もなく多孔質のバーナ本体部３１に可燃性液体１１が浸透する。このようにバーナ本体部３１に過剰の可燃性液体１１が供給されると、触媒燃焼反応は逆に停止する。転倒から触媒燃焼反応の停止までの短時間に、可燃性液体１１が漏出することを防ぐことができれば、漏出した可燃性液体１１への引火は防ぐことができる。芳香器１０１は、バーナ３が磁気的吸引力によりバーナ保持部材２に保持されるために、転倒時に可燃性液体１１の漏出を防ぎ、あるいは漏出を遅らせることができる。このように芳香器１０１は、操作性が良く、かつ安全性に優れるという、従来にない利点を有する。
【００４１】
さらに、磁性体３２と永久磁石２０とが、それぞれバーナ３及びバーナ保持部材２の外周に沿った環状であるため、幅広い領域にわたって、それらが互いに引き合う。このため、強い力でバーナ３をバーナ保持部材２に保持することができる。また、磁性体３２の外周が外方突出部を有しているので、この外方突出部を手で摘むことにより、バーナ３を持ち上げることができる。特に、燃焼を停止して間もない時期に、熱を持っているフランジ部３４に触れることなく、バーナ３を持ち上げることが可能となる。すなわち、バーナ３をバーナ保持部材２から外したり装着したりする操作が、一層容易かつ安全となる。また、フランジ部３４とバーナ保持部材２との間に、外周に外方突出部を有する環状の磁性体３２が介挿されることから、芳香器１０１には重要な要素となる美観が高められる。また、永久磁石２０は、バーナ保持部材２の内側に配置され、外部から見えないので、美観を損なう恐れがない。
【００４２】
図１及び図２に戻って、これらの図１及び図２に示す例では、芯材４はガラス繊維ロープである。そして芯材４のバーナ本体部３１に近い部位には、当該芯材４を締め付けることにより容器１内からバーナ３への可燃性液体１１の供給を制限する結束部４１が設けられている。図１及び図２の例では、結束部４１は、ステンレス鋼などの金属製の結束用バンドである。工具を用いて芯材４を結束部４１で適度に締め付けることにより、容器１内の可燃性液体１１の液面の高さに依存することなく、芯材４の結束部４１の部分まで可燃性液体１を充満させることができる。すなわち、可燃性液体１１の仮想液面を結束部４１の部位に維持することができる。それにより、容器１内の可燃性液体１１の残量によらずに、バーナ３へ安定した量の可燃性液体１１を供給することができ、可燃性液体１１を定速度で燃焼させることが可能となる。また図１に示すように、芯材４を容器１内の底面まで余裕を持って延びるように長くし、それによって容器１内の可燃性液体１１を余すことなくバーナ３へ供給することが可能となる。さらに図１及び図２に示すように芯材４には、下部付近にもう一つの結束部４２を設けることにより、芯材４を束ねても良い。それにより、バーナ３をバーナ保持部材２に装着するときに、芯材４を容器１内に挿入し易くなる。結束部４２は結束部４１と同一の材料、形状であってもよい。結束部４１、４２として、ケールブルタイとも称されるプラスチック製の戻り止め付き結束バンドを用いても良い。なお、結束部４１、４２の構造それ自体については、同一出願人の出願に係る特開２００６−１７０５９２号公報に詳細な記載がある。
【００４３】
（実施の形態２）
図５は、本発明の実施の形態２による芳香器について、バーナ及びバーナ保持部材の構造を詳細に示す部分断面図である。この芳香器１０２は、バーナ保持部材２がバーナ保持部材２Ａに置き換えられている点において、実施の形態１による芳香器１０１とは異なっている。バーナ保持部材２Ａが有する外側筒状部２１Ａ、環状部２２Ａ及び内側筒状部２３Ａは、実施の形態１によるバーナ保持部材２が有する外側筒状部２１、環状部２２及び内側筒状部２３と、それぞれ同一である。バーナ保持部材２Ａが有する環状の永久磁石２０Ａは、上面が環状部２２Ａに沿うように傾斜している点で、実施の形態１による永久磁石２０とは異なっている。その結果、磁性体３２と永久磁石２０Ａとは、互いに平行な面で対向し、しかも、おおよそ環状部２２Ａの厚さのみを隔てて互いに対向する。このように芳香器１０２では、磁性体３２と永久磁石２０Ａとが、互いに平行な面で対向し、しかも互いに近接するので、互いに作用する磁気的吸引力が効果的に高められる。それによりバーナ３をより強い力でバーナ保持部材２Ａに保持することが可能となる。
【００４４】
（実施の形態３）
図６は、本発明の実施の形態３による芳香器について、バーナ及びバーナ保持部材の構造を詳細に示す部分断面図である。この芳香器１０３は、バーナ保持部材２がバーナ保持部材２Ｂに置き換えられている点において、実施の形態１による芳香器１０１とは異なっている。バーナ保持部材２Ｂが有する環状の永久磁石２０Ｂは、磁性体３２と直接に接触する。また永久磁石２０Ｂの上面は、磁性体３２に面接触するように傾斜している。バーナ保持部材２Ｂが有する外側筒状部２１Ｂは、実施の形態１によるバーナ保持部材２が有する外側筒状部２１と同等である。環状部２２Ｂには環状の凹部が形成されている。当該凹部には、環状の永久磁石２０Ｂが嵌め込まれ、例えば接着剤により固着される。このようにして永久磁石２０Ｂは、外部に露出するようにバーナ保持部材２Ｂに固定される。内側筒状部２３Ｂは、実施の形態１による内側筒状部２３と略同一であるが、永久磁石２０Ｂを保持するために裾部を拡げる必要はない。
【００４５】
このように芳香器１０３では、磁性体３２と永久磁石２０Ｂとが、互いに平行な面で対向するだけでなく、直接に接触するので、互いに作用する磁気的吸引力が更に効果的に高められる。それによりバーナ３をより一層強い力でバーナ保持部材２Ｂに保持することが可能となる。
【００４６】
（実施の形態４）
図７は、本発明の実施の形態４による芳香器について、バーナ及びバーナ保持部材の構造を詳細に示す部分断面図である。この芳香器１０４は、支持部材３０が支持部材３０Ｂに置き換えられ、バーナ保持部材２がバーナ保持部材２Ｃに置き換えられている点において、実施の形態１による芳香器１０１とは異なっている。支持部材３０Ｂの環状の磁性体３２Ｂは、回転軸を含む面で切断した断面が、略菱形ではなく略五角形を有している。それに伴い、支持部材３０Ｂのフランジ部３４Ｂは、傾斜面をなさず、水平面をなし、それにより磁性体３２Ｂの上面に面接触する。実施の形態１と同様に、磁性体３２Ｂの外周は断面三角状に張り出す外方突出部を有している。支持部材３０Ｂの筒状部３５Ｂは、実施の形態１による筒状部３５と略同一の形状を有している。実施の形態１と同様に、磁性体３２Ｂの内周面が筒状部３５Ｂに嵌め込まれることにより、磁性体３２Ｂは支持部材３０Ｂに固定されている。
【００４７】
環状の永久磁石２０Ｃは、実施の形態１による永久磁石２０と同等の形状を有している。永久磁石２０Ｃの上面は水平面であるため、磁性体３２Ｂの底面とは互いに平行な面で対向する。バーナ保持部材２Ｃが有する外側筒状部２１Ｃ及び内側筒状部２３Ｃは、実施の形態１によるバーナ保持部材２が有する外側筒状部２１及び内側筒状部２３と、それぞれ略同一である。一方、環状部２２Ｃは、実施の形態１による環状部２２とは異なり傾斜しておらず、水平面をなしている。このため環状部２２Ｃは、磁性体３２Ｂの下面に面接触する。永久磁石２０Ｃは、環状部２２Ｃに接着ないし近接して配置される。それにより、磁性体３２Ｂと永久磁石２０Ｃとは、おおよそ環状部２２Ｃの厚さのみを隔てて互いに対向する。このように芳香器１０４では、磁性体３２Ｂと永久磁石２０Ｃとが、互いに平行な面で対向し、しかも互いに近接するので、互いに作用する磁気的吸引力が効果的に高められる。それによりバーナ３をより強い力でバーナ保持部材２Ｃに保持することが可能となる。
【００４８】
（実施の形態５）
図８は、本発明の実施の形態５による芳香器について、バーナ及びバーナ保持部材の構造を詳細に示す部分断面図である。この芳香器１０５は、バーナ保持部材２Ｃがバーナ保持部材２Ｄに置き換えられている点において、実施の形態４による芳香器１０４とは異なっている。バーナ保持部材２Ｄが有する環状の永久磁石２０Ｄは、上面が水平面であり、磁性体３２Ｂの水平な下面と直接に接触する。バーナ保持部材２Ｄが有する外側筒状部２１Ｄは、実施の形態４によるバーナ保持部材２が有する外側筒状部２１Ｃと近似している。環状部２２Ｄには、内周側が後退するように段差が周に沿って形成されている。内側後退部には、環状の永久磁石２０Ｄが嵌め込まれ、例えば接着剤により固着される。このようにして永久磁石２０Ｄは、外部に露出するようにバーナ保持部材２Ｄに固定される。内側筒状部２３Ｄは、実施の形態４による内側筒状部２３Ｃと近似するが、永久磁石２０Ｃを保持するために裾部を拡げる必要はない。
【００４９】
このように芳香器１０５では、磁性体３２Ｂと永久磁石２０Ｄとが、互いに平行な面で対向するだけでなく、直接に接触するので、互いに作用する磁気的吸引力が更に効果的に高められる。それによりバーナ３をより一層強い力でバーナ保持部材２Ｄに保持することが可能となる。
【００５０】
（実施の形態６）
図９は、本発明の実施の形態６による芳香器について、バーナ及びバーナ保持部材の構造を詳細に示す部分断面図である。この芳香器１０６は、支持部材３０Ｂが支持部材３０Ｄに置き換えられ、バーナ保持部材２Ｄがバーナ保持部材２Ｅに置き換えられている点において、実施の形態５による芳香器１０５とは異なっている。支持部材３０Ｄでは、支持部材３０Ｂの磁性体３２Ｂは除去されている。また、支持部材３０Ｄのフランジ部３４Ｄ及び筒状部３５Ｄは、形状に関しては、実施の形態５によるフランジ部３４Ｂ及び筒状部３５Ｂとそれぞれ略同一である。但し、支持部材３０Ｄのうち少なくともフランジ部３４Ｄは、例えば低炭素鋼などの磁性体により形成されている。
【００５１】
バーナ保持部材２Ｅが有する永久磁石２０Ｅ、外側筒状部２１Ｅ、環状部２２Ｅ及び内側筒状部２３Ｅは、実施の形態５による永久磁石２０Ｄ、外側筒状部２１Ｄ、環状部２２Ｄ及び内側筒状部２３Ｄと、それぞれ略同一に構成されている。すなわち環状部２２Ｅには、内周側が後退するように段差が周に沿って形成されており、この内側後退部に、環状の永久磁石２０Ｅが嵌め込まれ、例えば接着剤により固着されている。このようにして永久磁石２０Ｅは、外部に露出するようにバーナ保持部材２Ｅの所定部分に固定されている。その結果、環状の永久磁石２０Ｅは、磁性体のフランジ部３４Ｄと直接に面接触する。フランジ部３４Ｄと環状部２２Ｅの内側後退部の外縁部とが干渉しないように、永久磁石２０Ｅは環状部２２Ｅの外縁部よりも突出して設けられる。
【００５２】
このように芳香器１０６では、少なくともフランジ部３４Ｄそのものが磁性体として形成されているので、芳香器１０１〜１０５のように磁性体３２を別途設ける必要がない。また、磁性体のフランジ部３４Ｄと永久磁石２０Ｅとが、互いに平行な面で対向するだけでなく、直接に接触するので、互いに作用する磁気的吸引力が効果的に高められる。それによりバーナ３をより強い力でバーナ保持部材２Ｅに保持することが可能となる。なお、本実施の形態６のように、フランジ部３４Ｄそのもの、あるいはこれに筒状部３５Ｄの少なくとも一部をも含めた部分が磁性体によって形成されている形態も、支持部材が磁性体を含む構成の一形態に該当する。
【００５３】
（その他の実施の形態）
（１）  上記実施の形態１〜６において、環状の永久磁石２０〜２０Ｅを図示の例よりも縦長の筒状に形成してもよい。それにより永久磁石２０〜２０Ｅの磁力を高めることができる。なお縦長の筒状も、環状の一形態に該当する。
【００５４】
（２）  上記実施の形態１〜５において、磁性体３２〜３２Ｂと永久磁石２０〜２０Ｄとの間で、磁性体と永久磁石とを置き換えても良い。すなわち磁性体３２〜３２Ｂを同一形状の永久磁石に置き換え、永久磁石２０〜２０Ｄを同一形状の磁性体に置き換えても良い。さらに磁性体３２〜３２Ｂを、同一形状の永久磁石に置き換え、永久磁石２０〜２０Ｄと反対極が対向するように配置することにより、磁気的吸引力を高めても良い。実施の形態６において、支持部材３０Ｄのうちの磁性体部分と永久磁石２０Ｅとについても、同様に置き換えを行っても良い。
【００５５】
（３）  上記実施の形態１〜５において、磁性体３２〜３２Ｂは環状に形成された。これに対して図１０に磁性体３２Ｅ又は３２Ｆとして例示するように、磁性体は、いくつかの分割片を有する略環状に形成されてもよい。これらの磁性体３２Ｅ又は３２Ｆを支持部材３０等の所定部分に固定するには、接着剤を用いたり、あるいは分割片同士をプラスチック等で連結することにより全体として環状に形成し、支持部材３０等の筒状部３５等に嵌め込んだりしてもよい。同様に、実施の形態１〜６において、永久磁石２０〜２０Ｅを、分割片を有する形態としてもよく、さらに、各分割片をプラスチック等で連結して全体として環状に形成してもよい。なお、本発明において略環状とは、環状をも含む概念である。
【００５６】
（４）  図１１は、実施の形態１〜６による芳香器１０１〜１０６に使用される芯材の別の例を示す正面図である。この図は、当該芯材４Ａをバーナ本体部３１に挿入した使用状態を示しており、バーナ本体部３１については部分断面図となっている。芯材４Ａはガラス繊維ロープであり、一端部付近が折り返され、この折り返し部分と他端部とがバーナ本体部３１に取り付けられている。その結果、芯材４Ａはバーナ本体部３１付近では３本の束となっている。そして、ステンレス鋼などの金属製、あるいはプラスチック製の結束用バンドである２本の結束部４３及び４４により、３本の束となった部分が締め付けられる。このため芯材４Ａを均一に締め付けることができ、かつ芯材４Ａに付与される圧力を加減し易い。それにより、容器１内からバーナ３への可燃性液体１１の供給を、適正に制限することが容易となる。また結束部４３及び４４は、２個に分離されているので、過大な力を要することなく個別に締め付けることができる。
【図面の簡単な説明】
【００５７】
【図１】本発明の実施の形態１による芳香器の外観を示す斜視図である。
【図２】バーナを持ち上げたときの図１の芳香器の外観を示す斜視図である。
【図３】バーナ及びバーナ保持部材の構造を詳細に示す図１の芳香器の部分断面図である。
【図４】バーナ及びバーナ保持部材の構造を、より明瞭に示す図１の芳香器の分解組立図である。
【図５】実施の形態２による芳香器について、バーナ及びバーナ保持部材の構造を詳細に示す部分断面図である。
【図６】実施の形態３による芳香器について、バーナ及びバーナ保持部材の構造を詳細に示す部分断面図である。
【図７】実施の形態４による芳香器について、バーナ及びバーナ保持部材の構造を詳細に示す部分断面図である。
【図８】実施の形態５による芳香器について、バーナ及びバーナ保持部材の構造を詳細に示す部分断面図である。
【図９】実施の形態６による芳香器について、バーナ及びバーナ保持部材の構造を詳細に示す部分断面図である。
【図１０】磁性体の別の例を示す平面図である。
【図１１】芯材の別の例を示す部分断面図である。
【符号の説明】
【００５８】
１  容器
２、２Ａ〜２Ｅ  バーナ保持部材
３、３Ｂ、３Ｄ  バーナ
４、４Ａ  芯材
５  消火キャップ
１１  可燃性液体
２０、２０Ａ〜２０Ｅ  永久磁石
２１、２１Ａ〜２１Ｅ  外側筒状部
２２、２２Ａ〜２２Ｅ  環状部
２３、２３Ａ〜２３Ｅ  内側筒状部
３１  バーナ本体部
３２、３２Ｂ、３２Ｅ、３２Ｆ  磁性体
３４、３４Ｂ、３４Ｄ  フランジ部
３５、３５Ｂ、３５Ｄ  筒状部
４１、４３、４４  結束部
１０１〜１０６  芳香器
【図１】
2010035983.tif 000003
【図２】
2010035983.tif 000004
【図３】
2010035983.tif 000005
【図４】
2010035983.tif 000006
【図５】
2010035983.tif 000007
【図６】
2010035983.tif 000008
【図７】
2010035983.tif 000009
【図８】
2010035983.tif 000010
【図９】
2010035983.tif 000011
【図１０】
2010035983.tif 000012
【図１１】
2010035983.tif 000013